(57)【要約】【課題】  本発明は、害獣であるネズミの捕獲器に関する発明である。【解決手段】  本発明は、上蓋を取った空き缶１ａと、厚紙２ａを折り両端を留め具２ｂ、２ｂ、２ｂで数カ所留め環状にし前記空き缶１ａ内にいれる筒体２と、６つの係止片３ｂ、３ｂ、３ｂ・・・からなる係止部３ａ、折り線３ｅ、３ｅ、３ｅ・・を有し両端が合わせ部３ｆ、３ｆになっている外周壁３ｄからなる仕掛け本体３ｃ、略長方形の四角返し片３ｈ、３ｈ、３ｈと細くなった先端に反り部３ｋを設けた三角返し片３ｉ、３ｉ、３ｉを間隔３ｊ、３ｊ、３ｊ・・・を設けて交互に備えた仕掛け返し部３ｇからなり前記筒体２内に入れる仕掛け部３とからなることを特徴とするネズミ取り器１の構成とした。【選択図】  図６ 
2006025631.tif 000002
【特許請求の範囲】
【請求項１】
上蓋を取った中空の空き缶と、厚紙を折り両端を留め具で数カ所留め環状に前記空き缶内に入れる筒体と、６つの係止片からなる係止部、折り線を有し両端が合わせ部になっている外周壁からなる仕掛け本体及び略長方形の四角返し片と細くなった先端に反り部を設けた三角返し片を間隔をはさみ交互に備えた仕掛け返し部からなる仕掛け部を前記筒体内に入れたことを特徴とするネズミ取り器。
【発明の詳細な説明】
【技術分野】
【０００１】
本発明は、害獣であるネズミのネズミ取り器の改良に関する発明である。
【背景技術】
【０００２】
従来のネズミ取り器は、不必要なものを利用して使うものではなく、その目的のためだけに作られたものであった。
【０００３】
しかしながら、従来のネズミ取り器は、一度購入して使用すると二度と使えない使い捨てのものなので、その分コストが高かった。
【発明の開示】
【発明が解決しようとする課題】
【０００４】
そこで、本発明は、従来は捨てていた空き缶を使ったネズミ取り器を提供する事でコストを安く抑えることを目的とするものである。
【課題を解決するための手段】
【０００５】
本発明は、上記の課題を解決するために、上蓋を取った空き缶１ａと、厚紙２ａを折り両端を留め具２ｂ、２ｂ、２ｂで数カ所留め環状にし前記空き缶１ａ内にいれる筒体２と、６つの係止弁３ｂ、３ｂ、３ｂ・・・からなる係止部３ａ、折り線３ｅ、３ｅ、３ｅ・・を有し両端が合わせ部３ｆ、３ｆになっている外周壁３ｄからなる仕掛け本体３ｃ、略長方形の四角返し片３ｈ、３ｈ、３ｈと細くなった先端に反り部３ｋを設けた三角返し片３ｉ、３ｉ、３ｉを間隔３ｊ、３ｊ、３ｊ・・・を設けて交互に備えた仕掛け返し部３ｇからなり前記筒体２内に入れる仕掛け部３とからなることを特徴とするネズミ取り器１の構成とした。
【発明の効果】
【０００６】
本発明のネズミ取り器は、使用済みの空き缶を使うことで製造のコストを大幅に下げることができ、なおかつ捕獲機能を大幅に上げることができる。
【発明を実施するための最良の形態】
【０００７】
製造のコストが低く、捕獲力のあるネズミ取り器という目的を、空き缶を使用するということで実現した。
【実施例１】
【０００８】
以下に、添付図面に基づき、本発明であるネズミ取り器１について詳細に説明する。図１は、本発明であるネズミ取り器１の側面図である。図１に示すように、ネズミ取り器１は外側から見た場合、空き缶そのものである。蓋を取り除いた空き缶１ａを利用し、空き缶１ａの中空内部に筒体２及び仕掛け部３を設けた構造である。本筒体２の横断面形状は、一端部が平坦である。
【０００９】
図２は、ネズミ取り器の内部に入る筒体２の正面図である。筒体２は、長方形状の厚紙２ａを中央部が湾曲するように緩やかに折り、重合させて両端を留め具２ｂ、２ｂ、２ｂで数カ所を留め、筒状にしたものである。筒体２の素材を紙としているが、勿論軟性の金属製、軟性のプラスチック製等であってもよい。本筒体２の横断面形状は、一端部が平坦であり他端部が湾曲している。                 
【００１０】
図３はネズミ取り器１の内部に入る仕掛け部３の展開図、図４は仕掛け部の平面図、図５は仕掛け部の斜視図である。
【００１１】
図３で示すように、仕掛け部３は６つの係止片３ｂ、３ｂ、３ｂ・・・からなる係止部３ａと、折り線３ｅを有し両端が合わせ部３ｆ、３ｆになっている外周壁３ｄからなる仕掛け本体３ｃと、略長方形の四角形状に形成した四角返し片３ｈ、３ｈ、３ｈと先端が細くなった三角形状の三角返し片３ｉ、３ｉ、３ｉ及び仕掛け返し部３ｇとからなる。
【００１２】
四角返し片３ｈ、３ｈ、３ｈと三角返し片３ｉ、３ｉ、３ｉ間には、間隔３ｊ、３ｊ、３ｊを設けて交互に設けられている。そして、６つの係止片３ｂ、３ｂ、３ｂ・・・の上端は面一であるとともに、四角返し片３ｈ、３ｈ、３ｈの下端と先端が細くなった三角形状の三角返し片３ｉ、３ｉ、３ｉの下端は面一である。
【００１３】
図４及び図５で示すように、外周壁３ｄに設けられている折り線３ｅ、３ｅ、３ｅ・・をそれぞれ折り、合わせ部３ｆ、３ｆを合わせて六角形を形成し、６つの係止片３ｂ、３ｂ、３ｂ・・・はそれぞれ外側に斜めに開くような形で折る。
【００１４】
四角返し片３ｈ、３ｈ、３ｈと三角返し片３ｉ、３ｉ、３ｉは間隔３ｊ、３ｊ、３ｊを狭めていくように若干内側に折り込む形にする。この時三角返し片３ｉ、３ｉ、３ｉの先端を少し外方に反らせて曲げた反り部３ｋ、３ｋ、３ｋを形成する。
【００１５】
図６は、ネズミ取り器のＡ−Ａ断面図である。図６に示すように、空き缶１ａの内部に筒体２が入り、筒体２の中に仕掛け部３を差し込み、外側に斜めに開いた係止片３ｂ、３ｂ、３ｂ・・・で空き缶１ａの入口に係止する。
【００１６】
図７は、ネズミ取り器のＡ−Ａ断面図である。図７に示すように、ネズミ４は大きく誘い込むように開いたネズミ取り器１の入口となる係止部３ａから侵入してくる。ネズミ４はネズミ取り器１内に設けられた餌につられて仕掛け部３上部より侵入し餌に向かって筒体２内へ落ちる。
【００１７】
図８は、ネズミ取り器のＡ−Ａ断面図と罠にかかったネズミ４である。図８に示すように、ネズミ取り器１に入り込んだネズミ４は四角返し片３ｈ、３ｈ、３ｈと三角返し片３ｉ、３ｉ、３ｉにより狭められた仕掛け部３の出口に阻まれ引き返す事ができなくなり脱出することが不可能となる。
【００１８】
本発明であるネズミ取り器１は、ネズミ４を捕獲後に内部でネズミ４が暴れて横に倒れたとしても、仕掛け部３の仕掛け本体３ｃにより引き返すことができない。そのため、あらかじめ横置きで仕掛けて使用することもできる。
【図面の簡単な説明】
【００１９】
【図１】本発明であるネズミ取り器の側面図である。
【図２】本発明であるネズミ取り器の内部に入る筒体の正面図である。
【図３】本発明であるネズミ取り器の内部に入る仕掛け部の展開図である。
【図４】本発明であるネズミ取り器の内部に入る仕掛け部の平面図である。
【図５】本発明であるネズミ取り器の内部に入る仕掛け部の斜視図である。
【図６】本発明であるネズミ取り器のＡ−Ａ断面図である。
【図７】本発明であるネズミ取り器のＡ−Ａ断面図とネズミである。
【図８】本発明であるネズミ取り器のＡ−Ａ断面図と罠にかかったネズミである。
【符号の説明】
【００２０】
１      ネズミ取り器
１ａ    空き缶
２      筒体
２ａ    厚紙
２ｂ    留め具
３      仕掛け部
３ａ    係止部
３ｂ    係止片
３ｃ    仕掛け本体
３ｄ    外周壁
３ｅ    折り線
３ｆ    合わせ部
３ｇ    仕掛け返し部
３ｈ    四角返し片
３ｉ    三角返し片
３ｊ    間隔
３ｋ    反り部
４      ネズミ
【図１】
2006025631.tif 000003
【図２】
2006025631.tif 000004
【図３】
2006025631.tif 000005
【図４】
2006025631.tif 000006
【図５】
2006025631.tif 000007
【図６】
2006025631.tif 000008
【図７】
2006025631.tif 000009
【図８】
2006025631.tif 000010